(57)【要約】【課題】ダストボックスを昇降する際の負荷を軽減するともに、このダストボックス内の塵埃を容易に廃棄することができる空気調和機を提供すること。【解決手段】本体ユニット１が空気中の塵埃を捕集するエアフィルタ４０と、このエアフィルタ４０上を移動して当該エアフィルタ４０に付着した塵埃を除去するブラシユニット５１とを備え、このブラシユニット５１は、ブラシユニット本体６１と、このブラシユニット本体６１に着脱自在に支持されるダストボックス６７とを備え、ブラシユニット５１が所定位置に移動した場合、ダストボックス６７と係合し、当該ダストボックス６７をエアフィルタ４０及びブラシユニット本体６１に対して昇降可能に支持する吸込グリル３０及び昇降ユニット３５を備える。【選択図】図１０
2010078267.tif 000002
【特許請求の範囲】
【請求項１】
熱交換器及び送風機を有する本体ユニットと、この本体ユニットの下方に配置される化粧パネルとを備えた空気調和機において、
前記本体ユニットは、空気中の塵埃を捕集するエアフィルタと、このエアフィルタ上を移動して当該エアフィルタに付着した塵埃を除去する除去装置とを備え、
この除去装置は、除去装置本体と、この除去装置本体に着脱自在に支持されるダストボックスとを備え、
前記除去装置が所定位置に移動した場合、前記ダストボックスと係合し、当該ダストボックスを前記エアフィルタ及び前記除去装置本体に対して昇降可能に支持する昇降手段を備えることを特徴とする空気調和機。
【請求項２】
前記昇降手段は、前記化粧パネルの吸込グリルを前記本体ユニットに対して昇降可能に構成されたことを特徴とする請求項１に記載の空気調和機。
【発明の詳細な説明】
【技術分野】
【０００１】
本発明は、空気中の塵埃を捕集するエアフィルタを備えた空気調和機に関する。
【背景技術】
【０００２】
従来、熱交換器及び送風機を有する本体ユニットと、この本体ユニットの下方に配置される化粧パネルとを備えた空気調和機が知られている。この種の空気調和機では、化粧パネルの吸込グリルにエアフィルタを備え、このエアフィルタによって吸込グリルから吸い込んだ空気中に含まれる塵埃を捕集している。このため、エアフィルタには上記塵埃が捕集されて蓄積されるので、空気調和機の累積運転時間が長くなると、エアフィルタが目詰まりを起こし、通気抵抗の増加に伴って空気調和機の運転効率が低下する。
これを解消するために、エアフィルタが配置された吸込グリルを昇降可能とするとともに、エアフィルタに付着した塵埃を除去する回転ブラシと、この回転ブラシで除去した塵埃を捕集するダストボックスと、このダストボックス及び回転ブラシをエアフィルタに沿って移動させるガイドレール及び駆動モータと、を吸込グリル上に設けたものが提案されている（例えば、特許文献１参照）。
【特許文献１】特開２００７−４０６８９号公報
【発明の開示】
【発明が解決しようとする課題】
【０００３】
しかし、従来の構成では、吸込グリル上には、エアフィルタ、回転ブラシ、ダストボックス、ガイドレール及び駆動モータが配置されているため、この吸込グリルの重量が増加し、当該吸込グリルを昇降させる昇降モータへの負荷が増大するといった問題があった。更に、従来の構成では、ダストボックスには、回転ブラシ及びガイドレールが係合するとともに、これらダストボックス、回転ブラシ及びガイドレールの上方にはエアフィルタが配置されているため、ダストボックス内の塵埃を廃棄する場合には、エアフィルタを取り外した後に、ガイドレールからダストボックスを取り外すことを要し、廃棄作業が煩雑になるといった問題があった。
そこで、本発明は、上述した従来の技術が有する課題を解消し、ダストボックスを昇降する際の負荷を軽減するともに、このダストボックス内の塵埃を容易に廃棄することができる空気調和機を提供することを目的とする。
【課題を解決するための手段】
【０００４】
熱交換器及び送風機を有する本体ユニットと、この本体ユニットの下方に配置される化粧パネルとを備えた空気調和機において、前記本体ユニットは、空気中の塵埃を捕集するエアフィルタと、このエアフィルタ上を移動して当該エアフィルタに付着した塵埃を除去する除去装置とを備え、この除去装置は、除去装置本体と、この除去装置本体に着脱自在なダストボックスとを備え、前記除去装置が所定位置に移動した場合、前記ダストボックスと係合し、当該ダストボックスを前記エアフィルタ及び前記除去装置本体に対して昇降可能に支持する昇降手段を備えることを特徴とする。
【０００５】
この構成によれば、エアフィルタ及び除去装置本体を本体ユニットに残したまま、この除去装置本体から離脱したダストボックスが昇降されるため、昇降手段の負荷を軽減できるとともに、ダストボックス内の塵埃の廃棄を容易に行うことができる。
【０００６】
前記吸込グリルを前記本体ユニットに対して昇降可能に構成され、前記ダストボックスは、前記吸込グリルに着脱自在に配置されている構成としても良い。この構成によれば、ダストボックス内の塵埃を廃棄する際には、このダストボックスを吸込グリルとともに下降させ、当該ダストボックスを吸込グリルから離脱させるだけでよく、当該廃棄作業を軽減することができる。
【発明の効果】
【０００７】
本発明によれば、エアフィルタ及び除去装置本体を本体ユニットに残したまま、この除去装置本体から離脱したダストボックスが昇降されるため、昇降手段の負荷を軽減できるとともに、ダストボックス内の塵埃の廃棄を容易に行うことができる。
【発明を実施するための最良の形態】
【０００８】
以下、本発明の一実施の形態を、図面を参照して説明する。
図１は、本発明の実施の形態に係る天井埋込型空気調和機１００の斜視図であり、図２は天井埋込型空気調和機１００の分解斜視図である。また、図３は天井埋込型空気調和機１００の断面図である。
天井埋込型空気調和機１００は、図１乃至図３に示すように、箱形に形成された板金製の本体ユニット１を有し、この本体ユニット１と、フィルタチャンバ２０と、化粧パネル２１とが三段に重ねられて構成されている。
本体ユニット１の外側面には、図１に示すように、複数の吊り金具１Ｂが設けられており、各々の吊り金具１Ｂには、図３に示すように、天井面１１０に固定された吊下ボルト２がナット４（図１）によって固定され、これらの吊下ボルト２を介して、天井埋込型空気調和機１００は天井面１１０から吊り下げ設置される。この場合、天井埋込型空気調和機１００の化粧パネル２１は、上記天井面１１０の下方に天井裏空間１１１を介して設けられる天井板１１２に配置されて被調和室に露出している。
【０００９】
図３に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、プレートフィン型の熱交換器であり、送風機９を取り囲むように配置される。
【００１０】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和機１００の制御回路や電源回路等を収容した電装ボックス（図示略）等の各種部品がねじ止めされている。
【００１１】
フィルタチャンバ２０は、ドレンパン１３の直下に重ねて配設されており、フィルタチャンバ２０にはドレンパン１３の吹出開口１５に連通する通風孔２５と、吸込開口１４に連通する矩形状の吸込開口２６とが形成されている。吸込開口２６は、この吸込開口２６の四辺に沿って形成される枠部２６Ａを備え、この枠部２６Ａには、図１及び図２に示すように、当該吸込開口２６を通じて本体ユニット１に流入する被調和室内の空気中に含まれる塵埃を捕集するエアフィルタ４０が嵌め込まれている。このエアフィルタ４０は、網目状に形成されるフィルタ素材４１と、このフィルタ素材４１を支持する格子状に形成されたフィルタ支持枠４２とを備え、これらフィルタ素材４１とフィルタ支持枠４２とが一体に形成されている。
本構成では、フィルタチャンバ２０は、エアフィルタ４０の風上側、すなわちエアフィルタ４０の下面（捕集面）側に、当該エアフィルタ４０に付着した塵埃を自動的に除去して掃除する掃除機構５０を備える。この掃除機構５０は、エアフィルタ４０の下面を、図３に矢印Ｘで示す略水平方向に移動可能に構成されており、この移動の際に当該エアフィルタ４０に付着した塵埃を除去するものである。この掃除機構５０については後述する。
【００１２】
フィルタチャンバ２０の下面には、被調和室内に露出する化粧パネル２１がねじ（図示略）等により取り付けられている。化粧パネル２１には、被調和室の空気を吸込む吸込口２２と、熱交換器１１を通った調和空気を被調和室に吹き出す吹出口２３とが形成され、この吹出口２３には、風向を変更するためのルーバ２４が設けられている。
吸込口２２はフィルタチャンバ２０の吸込開口２６に連通し、吹出口２３はフィルタチャンバ２０の通風孔２５に連通する位置および形状に形成されている。
【００１３】
また、化粧パネル２１には、吸込口２２に嵌合する吸込グリル３０と、吸込グリル３０を４本の吊紐３６、３７、３８、３９によって昇降自在に支持する昇降ユニット３５とが取り付けられている。本実施形態では、吸込グリル３０と昇降ユニット３５とを備えて昇降手段が構成される。吸込グリル３０の中央には室内空気を吸い込む吸込口３１が形成され、この吸込グリル３０が吸込口２２に嵌合した状態で吸込口３１が吸込開口２６に連通する。
【００１４】
昇降ユニット３５は、化粧パネル２１の内側、すなわちフィルタチャンバ２０側の面に、板金製のステー（図示略）を介して取り付けられ、４本の吊紐３６〜３９を繰り出し、或いは巻き戻すことにより、所定の範囲で吸込グリル３０を昇降させる。
吸込グリル３０は、その一辺に２本の吊紐３６、３７が固定され、他辺に２本の吊紐３８、３９が固定されている。昇降ユニット３５は、吊紐３６、３７の繰り出し及び巻き戻しを行う第１機構（図示略）と、吊紐３８、３９の繰り出し及び巻き戻しを行う第２機構（図示略）と、これら第１機構及び第２機構を制御する制御基板（図示略）とを、一つの筐体に収納したものである。
【００１５】
吊紐３６〜３９は、その一端がそれぞれ吸込グリル３０の裏面、すなわち図１中上側の面に固定され、他端は、化粧パネル２１の裏面に設けられたガイド５５，５６によって水平方向に転向され、昇降ユニット３５内に収容される。
上記の第１機構は、吊紐３６、３７が巻き回されるボビン（図示略）、ボビンを回転させるギア（図示略）及びモータ（図示略）を内蔵し、このモータの正転或いは逆転動作によってボビンが正方向または逆方向に回転され、吊紐３６、３７の繰り出し或いは巻き戻しが行われる。同様に、吊紐３８、３９の他端は第２機構が備えるボビン（図示略）に巻き回され、第２機構が有するモータの正転或いは逆転動作がギアを介してボビンに伝達され、ボビンが正方向または逆方向に回転されて、吊紐３８、３９の繰り出し或いは巻き戻しが行われる。
また、吸込グリル３０上には、図３に示すように、上記昇降ユニット３５と対向する一方の辺３０Ａとは反対側に位置する、他方の辺３０Ｂに沿って支持台座５７が設けられている。支持台座５７は、吸込グリル３０を昇降させる際に、後述するブラシユニット５１のダストボックス６７と係合して、当該ダストボックス６７を支持するものである。
【００１６】
このように構成される天井埋込型空気調和機１００は、図示しない室外機から供給される冷媒を熱交換器１１に通して、熱交換器１１を蒸発器または凝縮器として機能させ、図３に示すように、送風機９の動作によって吸込口３１から被調和室の室内空気を吸い込み、吸込開口２６、吸込開口１４、及びノズル１７を通して室内空気を熱交換器１１に通して冷却または加熱し、調和空気とする。そして、天井埋込型空気調和機１００は、送風機９の動作によって、調和空気を吹出開口１５及び通風孔２５を通して吹出口２３から被調和室に吹き出し、被調和室を冷房または暖房する。
【００１７】
次に、掃除機構５０について説明する。
掃除機構５０は、図１に示すように、エアフィルタ４０の全幅に渡って延在する横長のブラシユニット（除去装置）５１と、このブラシユニット５１をエアフィルタ４０の下面で移動可能に支持する一対のガイドレール５２Ｌ，５２Ｒとを備える。これらガイドレール５２Ｌ，５２Ｒは、長尺の角柱状に形成されており、その上面には、当該ガイドレール５２Ｌ，５２Ｒの全長に亘ってラックギア（図示略）が形成されている。また、ガイドレール５２Ｌ，５２Ｒは、その両端部がそれぞれフィルタチャンバ２０の枠部２６Ａから垂下されるステー５３，５３に連結されている。
掃除機構５０は、天井埋込型空気調和機１００の運転が停止している時間帯に、エアフィルタ４０の下面を往復移動して、このエアフィルタ４０に付着した塵埃を自動的に除去して当該エアフィルタ４０を掃除するものである。天井埋込型空気調和機１００の運転中には、ブラシユニット５１は、通風を阻害しない待機位置（例えば、昇降ユニット３５の上方）に位置している。
【００１８】
図４は、ブラシユニット５１の外観斜視図であり、図５は、図４の状態から上側ケースを外した状態を示す斜視図である。
ブラシユニット５１は、図４に示すように、一対のガイドレール５２Ｌ，５２Ｒ上に配置されるブラシユニット本体（除去装置本体）６１を備え、このブラシユニット本体６１は、下側ケース６２とこの下側ケース６２に組み合わされる上側ケース６３とを備えて構成される。ブラシユニット本体６１は、図５に示すように、下側ケース６２の全幅に渡って延在する横長の回転ブラシ６４を備え、図４に示すように、上側ケース６３の上面６３Ａには、当該回転ブラシ６４の外周部が上側ケース６３の外側に向けて突出する開口部６３Ｂが形成されている。
また、ブラシユニット本体６１には、このブラシユニット本体６１の一端側６１Ａに配置されて回転ブラシ６４を回転駆動するブラシ駆動機構６５と、当該ブラシユニット本体６１の他端側６１Ｂに配置されて当該ブラシユニット本体６１をガイドレール５２Ｌ，５２Ｒ上で移動させる移動機構６６とを備える。
【００１９】
ブラシ駆動機構６５は、図５に示すように、下側ケース６２にねじ止めされているブラシ駆動モータ７１と、当該下側ケース７２に収容されてブラシ駆動モータ７１の駆動軸に設けられたピニオン（図示略）に噛合う第１変速車７３と、この第１変速車７３と同軸上に設けられる第２変速車７４と、この第２変速車７４に噛合う第３変速車７５と、この第３変速車７５と同軸上に設けられる第４変速車７６とを備え、この第４変速車７６が回転ブラシ６４の一方の軸端部に設けたピニオン７７に噛合っている。これら第１変速車７３〜第４変速車７６は、ブラシ駆動モータ７１の回転数を回転ブラシ６４用の回転数まで減速させる減速車として機能するとともに、回転ブラシ６４の回転方向を規定する。ブラシ駆動モータ７１は、図５中の矢印Ａ方向（反時計周り方向）に回転駆動するように制御され、このブラシ駆動モータ７１の回転が上記第１変速車７３〜第４変速車７６を介することにより、減速されて回転ブラシ６４に伝達されるため、この回転ブラシ６４は、図５中の矢印Ｂ方向（時計周り方向）に回転される。これにより、エアフィルタ４０に付着した塵埃がエアフィルタ４０の回転により掻き落とされ、この掻き落とされた塵埃はブラシユニット本体６１の内部に捕集される。
【００２０】
移動機構６６は、図５に示すように、下側ケース６２にねじ止めされている移動用モータ８１と、当該下側ケース７２に収容されて移動用モータ８１の駆動軸に設けられたピニオン（図示略）に噛合う第５変速車８２と、この第５変速車８２と同軸上に設けられる第６変速車８３と、この第６変速車８３に噛合う第７変速車８４と、この第７変速車８４と同軸上に設けられる第８変速車８５と、この第８変速車８５に噛合う第９変速車８６と、この第９変速車８６と同軸上に設けられる第１０変速車８７とを備え、この第１０変速車８７が一方のガイドレール５２Ｒのラックギアに噛合うピニオン８８と噛合っている。このピニオン８８には、下側ケース６２の幅方向に亘って設けられる回転軸８９の一端が連結され、この回転軸８９の他端には上記ピニオン８８と同径、同歯数のピニオン９０が連結されている。このピニオン９０は、他方のガイドレール５２Ｌのラックギアに噛合っている。これらラックギア上をピニオン８８，９０が回転することによって、図３に示すように、ブラシユニット５１を、エアフィルタ４０の下面に沿って当該エアフィルタ４０の一端側４０Ａから他端側４０Ｂまで移動させることができる。
第５変速車８２〜第１０変速車８７は、移動用モータ８１の回転数をブラシユニット５１がガイドレール５２Ｌ，５２Ｒ上を移動するのに適した回転数まで減速させる減速車として機能するとともに、ガイドレール５２Ｌ，５２Ｒのラックギアに噛合うピニオン８８，９０の回転方向を規定する。
移動用モータ８１は、図５中の矢印Ｃ方向（時計周り方向）もしくは矢印Ｄ方向（反時計周り方向）に選択的に回転駆動するように制御される。移動用モータ８１を矢印Ｃ方向に駆動させると、この移動用モータ８１の回転は、第５変速車８２〜第１０変速車８７を介して減速されるとともに、同一の回転方向のままピニオン８８、９０に伝達される。これにより、ブラシユニット５１はガイドレール５２Ｌ，５２Ｒ上を矢印Ｘ１方向に移動する。同様に、移動用モータ８１を矢印Ｄ方向に駆動させると、この移動用モータ８１の回転は、第５変速車８２〜第１０変速車８７を介して減速されつつ、同一の回転方向のままピニオン８８、９０に伝達される。これにより、ブラシユニット５１はガイドレール５２Ｌ，５２Ｒ上を矢印Ｘ２方向に移動する。
【００２１】
ブラシユニット５１は、図６に示すように、回転ブラシ６４の下方に、この回転ブラシ６４で掻き落とした（除去した）塵埃を収容するダストボックス６７を備える。このダストボックス６７は、図１に示すように、ガイドレール５２Ｌ，５２Ｒ間に配置され、後述するようにブラシユニット本体６１に着脱自在に設けられている。
【００２２】
図７は、ブラシユニット５１と支持台座５７とを示す側断面図であり、図８は、ブラシユニット５１が支持台座５７上に移動した状態を示す側断面図である。これら図７、図８では変速車等の記載を省略している。
ダストボックス６７は、図７に示すように、上面が開放した箱状に形成され、ブラシユニット本体６１に着脱自在に構成されている。
具体的には、ダストボックス６７の側面６７Ａ，６７Ｂには、これら側面６７Ａ，６７Ｂから外方に突出した突出部（第１の係合部）６８，６９が形成されている。これら突出部６８，６９は、側面６７Ａ，６７Ｂの長手方向に沿って設けられ、断面が丸みを帯びた円弧状の外形をなしている。
一方、ブラシユニット本体６１は、下側ケース６２の下面から下方に延びる一対の支持板６２Ａ，６２Ｂを備える。これら支持板６２Ａ，６２Ｂは弾性を有し、上記ダストボックス６７の幅と略同一の間隔をあけて、下側ケース６２の長手方向に沿って設けられている。そして、支持板６２Ａ，６２Ｂの内側の面には、上記した突出部６８，６９と略同形状をなして当該突出部６８，６９が嵌る凹部（第１の係合部）６２Ａ１，６２Ｂ１がそれぞれ形成されている。
【００２３】
このため、ダストボックス６７をブラシユニット本体６１の支持板６２Ａ，６２Ｂ間に配置し、ダストボックス６７を上方に移動させると、ダストボックス６７の側面６７Ａ，６７Ｂに形成された突出部６８，６９が、ブラシユニット本体６１の支持板６２Ａ，６２Ｂに形成された凹部６２Ａ１，６２Ｂ１に嵌ることにより、ダストボックス６７がブラシユニット本体６１に装着される。
また、ダストボックス６７を下方に移動させると、上記突出部６８，６９により支持板６２Ａ，６２Ｂが外側に湾曲するため、これら支持板６２Ａ，６２Ｂに形成された凹部６２Ａ１，６２Ｂ１から突出部６８，６９が外れることにより、ダストボックス６７はブラシユニット本体６１から離脱される。
【００２４】
また、ダストボックス６７の一方の側面６７Ａには、突出部６８の下方に、断面矩形状の係止片（第２の係合部）７０が形成されている。この係止片７０は、ブラシユニット５１が移動する水平方向と略平行に形成されており、当該ブラシユニット５１が所定位置まで移動した際に、支持台座５７と係合するようになっている。
本実施形態では、所定位置とは、ブラシユニット５１が進行方向を反転する位置であり、当該ブラシユニット５１の移動可能な範囲の終端に相当する位置をいう。ブラシユニット５１が所定位置に至ったか否かは、ガイドレール５２Ｌ，５２Ｒに設けられた不図示のリミットスイッチの動作により判別している。
【００２５】
支持台座５７は、台座本体８０の上面から上方に延びる立ち壁９３を備え、この立ち壁には、ダストボックス６７の側面６７Ａに形成された係止片７０が挿入される孔部（第２の係合部）８２が形成されている。この孔部９４は、係止片７０が確実に挿入されるように係止片７０よりも僅かに大きく形成されている。
また、台座本体８０の高さＨは、吸込グリル３０の上面と、ブラシユニット５１の下面（すなわちダストボックス６７の下面）との隙間と略同等に形成されている。このため、ブラシユニット５１を支持台座５７に接近する方向（図中Ｘ２方向）に動作し、このブラシユニット５１が所定位置に移動すると、ダストボックス６７は、台座本体８０上に載置されるとともに、当該ダストボックス６７の係止片７０が、支持台座５７の立ち壁９３に形成された孔部９４に挿入されることにより、当該ダストボックス６７が吸込グリル３０に係合される。この場合、支持台座５７は、ブラシユニット５１が進入する側の角部８０Ａが面取り加工され、支持台座５７とブラシユニット５１（特にダストボックス６７）との干渉を防止している。
また、ブラシユニット５１を支持台座５７から離間する方向（図中Ｘ１方向）に移動させると、ダストボックス６７の係止片７０が支持台座５７の孔部９４から抜けることにより、ダストボックス６７と吸込グリル３０との係合が解除される。
【００２６】
また、ダストボックス６７内には回転ブラシ６４の全幅に渡って延在する塵埃剥離板５８が設けられている。この塵埃剥離板５８は、ダストボックス６７をブラシユニット本体６１に装着した際に、その先端が回転ブラシ６４の外周面に略沿う方向に屈曲して当該回転ブラシ６４に接触する爪部（不図示）を備えている。回転ブラシ６４が回転すると、この回転ブラシ６４と上記爪部とが接触し、回転ブラシ６４に付着した塵埃２００が剥離してダストボックス６７に収容される。
【００２７】
次に、動作について説明する。
深夜時間帯等、天井埋込型空気調和機１００の運転が停止している場合に、上記した掃除機構５０が動作される。この掃除機構５０の移動用モータ８１を動作されると、この移動用モータ８１の回転が複数の変速車を介して、ピニオン８８，９０に伝達され、このピニオン８８，９０の回転によって、ブラシユニット５１がガイドレール５２Ｌ，５２Ｒ上を往復移動する。
また、ブラシ駆動モータ７１が動作されると、図７に示すように、このブラシ駆動モータ７１の回転が複数の変速車を介して、回転ブラシ６４に伝達され、当該回転ブラシ６４が図中矢印Ｂ方向に回転する。この回転ブラシ６４の回転により、エアフィルタ４０に付着した塵埃２００は回転ブラシ６４に掻き落とされ、この回転ブラシ６４に付着する。そして、回転ブラシ６４に付着した塵埃２００は、塵埃剥離板５８によって、回転ブラシ６４から剥離されてダストボックス６７内に収容される。
【００２８】
本実施形態では、天井埋込型空気調和機１００の運転時間が所定時間（例えば３ヶ月）に至ったら、ダストボックス６７内に所定量以上の塵埃が収容されているとして、塵埃の排出動作が実行される。
具体的には、ブラシユニット５１は、図７に示すように、ガイドレール５２Ｌ，５２Ｒ上を支持台座５７に接近する方向（図中Ｘ２方向）に移動する。そして、ブラシユニット５１が支持台座５７の上方に移動すると、図８に示すように、ダストボックス６７が支持台座５７の台座本体８０上に載置されるとともに、当該ダストボックス６７の係止片７０が、支持台座５７の立ち壁９３に形成された孔部９４に挿入されることにより、当該ダストボックス６７が吸込グリル３０に係合される。
【００２９】
続いて、ダストボックス６７が吸込グリル３０に係合した状態で、昇降ユニット３５を動作させて当該吸込グリル３０を降下させる。吸込グリル３０が下方（図９中Ｙ１方向）に移動すると、この吸込グリル３０に係合するダストボックス６７も下方に移動する。すると、ダストボックス６７の側面６７Ａ，６７Ｂに形成された突出部６８，６９により支持板６２Ａ，６２Ｂが外側（図９中Ｚ方向）に湾曲するため、図９に示すように、これら支持板６２Ａ，６２Ｂに形成された凹部６２Ａ１，６２Ｂ１から突出部６８，６９が外れることにより、ダストボックス６７はブラシユニット本体６１から離脱される。
この場合、ダストボックス６７は、台座本体８０上に載置されるとともに、当該ダストボックス６７の係止片７０が、支持台座５７の立ち壁９３に形成された孔部９４に挿入されているため、ダストボックス６７の転倒が防止される。
このように、図１０に示すように、エアフィルタ４０及びブラシユニット本体６１をフィルタチャンバ２０に残したまま、ダストボックス６７を吸込グリル３０とともに降下させることができる。このため、ダストボックス６７を吸込グリル３０の支持台座５７から取り外して、当該ダストボックス６７内の塵埃を簡単に廃棄することができる。
【００３０】
ダストボックス６７内の塵埃の廃棄が終了したら、このダストボックス６７を、再び吸込グリル３０の支持台座５７に取り付け、吸込グリル３０を上昇（（図９中Ｙ２方向）させる。すると、ダストボックス６７の突出部６８，６９により、ブラシユニット本体６１の支持板６２Ａ，６２Ｂが外側（図９中Ｚ方向）に湾曲する。そして、突出部６８，６９が凹部６２Ａ１，６２Ｂ１に嵌ると、上記支持板６２Ａ，６２Ｂは元の状態に復元するため、ダストボックス６７がブラシユニット本体６１に装着される。
ダストボックス６７がブラシユニット本体６１に装着されると、ブラシユニット５１は、図７に示すように、ガイドレール５２Ｌ，５２Ｒ上を支持台座５７から離間する方向（図中Ｘ１方向）に移動する。そして、ブラシユニット５１が待機位置に至ると、塵埃の排出動作が終了する。
【００３１】
以上説明したように、本実施形態によれば、熱交換器１１及び送風機９を有する本体ユニット１と、この本体ユニット１の下方に配置される化粧パネル２１とを備え、本体ユニット１は、空気中の塵埃を捕集するエアフィルタ４０と、このエアフィルタ４０上を移動して当該エアフィルタ４０に付着した塵埃を除去するブラシユニット５１とを備え、このブラシユニット５１は、ブラシユニット本体６１と、このブラシユニット本体６１に着脱自在に支持されるダストボックス６７とを備え、ブラシユニット５１が所定位置に移動した場合、ダストボックス６７と係合し、当該ダストボックス６７をエアフィルタ４０及びブラシユニット本体６１に対して昇降可能に支持する吸込グリル３０及び昇降ユニット３５を備えるため、エアフィルタ４０及びブラシユニット本体６１を本体ユニット１に残したまま、このブラシユニット本体６１から離脱したダストボックス６７が昇降されることにより、昇降ユニット３５の負荷を軽減できるとともに、ダストボックス６７内の塵埃の廃棄を容易に行うことができる。
【００３２】
また、本実施形態によれば、水平方向に移動するブラシユニット５１と、上下方向（鉛直方向）に移動する吸込グリル３０とを備え、ブラシユニット５１は、ダストボックス６７とブラシユニット本体６１とを上下方向に係脱自在な突出部６８、６９及び支持板６２Ａ，６２Ｂの凹部６２Ａ１，６２Ｂ１とを備え、吸込グリル３０の支持台座５７がダストボックス６７と水平方向に係脱自在な孔部９４及び係止片７０とを備えるため、ブラシユニット５１と吸込グリル３０の動作を組み合わせることにより、簡単な構成で、ダストボックス６７をブラシユニット本体６１から離脱させるとともに、当該ブラシユニット本体６１に装着させることができる。
【００３３】
また、本実施形態によれば、吸込グリル３０を本体ユニット１に対して昇降可能に構成され、ダストボックス６７は、吸込グリル３０に着脱自在に配置されているため、このダストボックス６７内の塵埃を廃棄する際には、このダストボックス６７を吸込グリル３０とともに下降させ、当該ダストボックス６７を吸込グリル３０から離脱させるだけでよく、当該廃棄作業を軽減することができる。
【００３４】
以上、本発明の一実施形態について説明したが、本発明はこれに限定されるものではなく、種々の変更実施が可能である。例えば、上記実施形態では、ダストボックス６７を吸込グリル３０とともに昇降させる構成について説明したが、ダストボックス６７の４隅に吊紐を設け、このダストボックス６７のみを昇降させる構成としても良い。
【図面の簡単な説明】
【００３５】
【図１】本発明の実施の形態に係る天井埋込型空気調和機の斜視図である。
【図２】天井埋込型空気調和機の分解斜視図である。
【図３】天井埋込型空気調和機の断面図である。
【図４】ブラシユニットの外観斜視図である。
【図５】図４の状態から上側ケースを外した状態を示す斜視図である。
【図６】ブラシユニットの側面図である。
【図７】ブラシユニットと支持台座とを示す側断面図である。
【図８】ブラシユニットが支持台座上に移動した状態を示す側断面図である。
【図９】ダストボックスがブラシユニット本体から離脱した状態を示す側断面図である。
【図１０】ダストボックスを吸込グリルとともに下降させた状態を示す天井埋込型空気調和機の断面図である。
【符号の説明】
【００３６】
１  本体ユニット
９  送風機
１１  熱交換器
２０  フィルタチャンバ
２１  化粧パネル
２２  吸込口
３０  吸込グリル
３０Ａ  辺
３０Ｂ  辺
３１  吸込口
３５  昇降ユニット
３６〜３８  吊紐
４０  エアフィルタ
５１  ブラシユニット（除去装置）
５７  支持台座
６１  ブラシユニット本体（除去装置本体）
６２Ａ、６２Ｂ  支持板
６２Ａ１、６２Ｂ１  凹部
６４  回転ブラシ
６８、６９  突出部
７０  係止片
８０  台座本体
９３  立ち壁
９４  孔部
１００  天井埋込型空気調和機（空気調和機）
【図１】
2010078267.tif 000003
【図２】
2010078267.tif 000004
【図３】
2010078267.tif 000005
【図４】
2010078267.tif 000006
【図５】
2010078267.tif 000007
【図６】
2010078267.tif 000008
【図７】
2010078267.tif 000009
【図８】
2010078267.tif 000010
【図９】
2010078267.tif 000011
【図１０】
2010078267.tif 000012